(57)【要約】      （修正有）【課題】挟着させるべき被挟着物の厚さの如何に拘わらず、簡単な操作で確実に挟着保持させることができるようにしたクリップ片付き携帯用器具の提供。【解決手段】検電器１２などのような適宜の機能が付与されてなる携帯用器具１１と、該携帯用器具１１の軸方向に沿わせ、かつ、その開放端２３側から挿入されるシート状の被挟着物に対し携帯用器具１１との間で挟着保持力の生成を自在に配設されるクリップ片２２とで構成され、該クリップ片２２は、開放端２３の近傍位置に穿設された透孔２７を備え、携帯用器具１１は、クリップ片２２の透孔２７との対面位置に該透孔２７内に常態時においてその頂端部１６が遊嵌される座高を付与して形成された略円錐形を呈する小突起１８を備え、該小突起１８と透孔２７との間で前記被挟着物の挟持を自在とした。【選択図】図１
2008254289.tif 000002
【特許請求の範囲】
【請求項１】
適宜の機能が付与されてなる携帯用器具と、該携帯用器具の軸方向に沿わせ、かつ、その開放端側から挿入されるシート状の被挟着物に対し前記携帯用器具との間で挟着保持力の生成を自在に配設されるクリップ片とで構成され、
該クリップ片は、前記開放端の近傍位置に穿設された透孔を備え、
前記携帯用器具は、クリップ片の前記透孔との対面位置に該透孔内に常態時においてその頂端部が遊嵌される座高を付与して形成された略円錐形を呈する小突起を備え、
該小突起と前記透孔との間で前記被挟着物の挟持を自在としたことを特徴とするクリップ片付き携帯用器具。
【請求項２】
前記携帯用器具は、その軸方向での一端側に備える作動部との関係で定まる機能の発揮を自在に形成された請求項１に記載のクリップ片付き携帯用器具。
【請求項３】
前記クリップ片には、前記被挟着物の挿入方向との関係で前記透孔の奥側に位置する近傍に前記小突起よりも低座高の突出部をその内側面に具備させた請求項１または２に記載のクリップ片付き携帯用器具。
【請求項４】
前記携帯用器具は、その一端側に検電部を前記作動部として備え、他端側に前記クリップ片を備える検電器である請求項２または３に記載のクリップ片付き携帯用器具。
【発明の詳細な説明】
【技術分野】
【０００１】
本発明は、用途に応じた機能が付与されてなる各種の携帯用器具を例えば胸ポケット内に差し込むなどして携行する際に、その抜け落ちを防止して安定的に挟着保持させることができるクリップ片付き携帯用器具に関する技術である。
【背景技術】
【０００２】
手軽に持ち運びができる携帯用器具のなかには、万年筆やシャープペンシルなどのような筆記具のほか、ペンシルタイプの検電器などのような電気的計測器具を含め、その用途に応じた適宜構造を備えた各種のものがある。
【０００３】
そして、この種の携帯用器具は、通常、胸ポケットに入れて携行したりする際の抜け落ちを防止するために、胸ポケットを形成している布片のようなシート状の被挟着物に挟着保持させるためのクリップ片を備えている。
【０００４】
このようなクリップ構造に関しては、例えば下記特許文献１に開示されている筆記具用クリップなどがある。
【特許文献１】特開２００３−２４６１８９号公報
【０００５】
上記特許文献１には、筆記具の後端側に一体形成されたクリップ片に関する技術が開示されている。この場合、該クリップ片には、筆記具側に設けられている突起部を越えて隣り合う位置に該突起部と向き合う方向に突出部が形成されており、該突出部と前記突起部との間で挟着力を生成させることができるようになっている。
【０００６】
図４は、上記クリップ片を携帯用器具のひとつである検電器に付設した従来例をその要部拡大図とともに示す側面図である。同図によれば、所要の検出回路を設けてなるプリント基板などが内蔵されている検電器１は、その先端側に配設された検電部２と、後端側に着脱自在に配設された操作カバー３とを備えて形成されている。
【０００７】
また、検電器１は、操作カバー３の近傍位置にてその軸さ方向に沿わせて配設されたクリップ片４を備えている。該クリップ片４は、その開放端４ａ側を検電器１の検電部２方向に向けた狭幅板状を呈して形成されており、その基端４ｂ側に配置された前後一対の連結片５，６を介して検電器１との間に所要間隔が確保されている。
【０００８】
さらに、クリップ片４は、その開放端４ａ側に検電器１方向に向けて突出させた突出部７を備えており、該突出部７の近傍に位置する検電器１側に設けられている突起部８との間で所要の挟着保持力を生成できるようになっている。
【０００９】
このため、検電作業者は、図４に示す検電器１を例えば胸ポケット内に入れ、該胸ポケットを形成している布片の開口縁部の外側にクリップ片４を位置させることで、その抜け落ちを防止して手軽に携行することができることになる。
【発明の開示】
【発明が解決しようとする課題】
【００１０】
しかし、従来からある検電器１による場合には、胸ポケットを形成している布片（被挟着物）が生地としての厚さがある程度あるものであれば、クリップ片４で比較的しっかりと挟着させることができるものの、生地の厚さが薄い場合には十分な挟着保持力を生成させることができなくなり、抜け落ちやすくなるという不都合があった。
【００１１】
また、クリップ片４は、介在させた布片を検電器１との間で挟着保持するものであることから、手指を用いて拡開方向に摘み上げて布片（被挟着物）を挿入する必要があり、その挟着操作に煩雑感が伴うという不具合もあった。
【００１２】
本発明は、従来技術の上記課題に鑑み、挟着させるべき被挟着物の厚さの如何に拘わらず、簡単な操作で確実に挟着保持させることができるようにしたクリップ片付き携帯用器具を提供することを目的とする。
【課題を解決するための手段】
【００１３】
本発明は、上記目的を達成すべくなされたものであり、適宜の機能が付与されてなる携帯用器具と、該携帯用器具の軸方向に沿わせ、かつ、その開放端側から挿入されるシート状の被挟着物に対し前記携帯用器具との間で挟着保持力の生成を自在に配設されるクリップ片とで構成され、該クリップ片は、前記開放端の近傍位置に穿設された透孔を備え、前記携帯用器具は、クリップ片の前記透孔との対面位置に該透孔内に常態時においてその頂端部が遊嵌される座高を付与して形成された略円錐形を呈する小突起を備え、該小突起と前記透孔との間で前記被挟着物の挟持を自在としたことを最も主要な特徴とする。
【００１４】
この場合、前記携帯用器具は、その軸方向での一端側に備える作動部との関係で定まる機能の発揮を自在に形成さすることができる。また、前記クリップ片には、前記被挟着物の挿入方向との関係で前記透孔の奥側に位置する近傍に前記小突起よりも低座高の突出部をその内側面に具備させておくのが望ましい。さらに、前記携帯用器具は、その一端側に検電部を前記作動部として備え、他端側に前記クリップ片を備える検電器とするのが好ましい。
【発明の効果】
【００１５】
請求項１に記載の発明によれば、どのような構造を備える携帯用器具であっても、該携帯用器具が備える小突起の頂端部をクリップ片が備える透孔内に位置させることで、被挟着物の厚さが薄い場合であってこれら小突起の頂端部と透孔との間に被挟着物を簡単、かつ、確実に挟持させることができる。
【００１６】
請求項２に記載の発明によれば、携帯用器具をその抜け落ちを防止して持ち運ぶことで、作動部との関係で定まる所定の機能を行く先々で安心して発揮させることができる。
【００１７】
請求項３に記載の発明によれば、クリップ片は、透孔の奥側に携帯用器具の小突起よりも低座高の突出部を備えているので、該突出部と携帯用器具との間に再度、被挟着物を挟持させることで、より安定した抜け落ち防止性能を発揮させることができる。
【００１８】
請求項４に記載の発明によれば、携帯用器具が作動部を検電部とする検電器として形成されているので、携行時の抜け落ちを確実に防止しながら検電作業を円滑に行うことができる。
【発明を実施するための最良の形態】
【００１９】
本発明は、は、適宜の機能が付与された携帯用器具と、該携帯用器具の軸方向に沿わせ、かつ、その開放端側から挿入されるシート状の被挟着物に対し前記携帯用器具との間で挟着保持力の生成を自在に配設されるクリップ片とで構成されている。この場合、該クリップ片は、前記開放端の近傍位置に穿設された透孔を備えており、前記携帯用器具は、前記クリップ片の前記透孔との対面位置に該透孔内に常態時においてその頂端部が遊嵌される座高を付与して形成された略円錐形を呈する小突起を備えており、該小突起と前記透孔との間で前記被挟着物の挟持が自在に形成されている。
【００２０】
図１は、その軸方向での一端側に備える作動部との関係で定まる機能の発揮を自在に形成された携帯用器具を検電器に適用した場合における本発明の一例を示す全体斜視図であり、図２は、一部を切り欠いた状態の検電器をその要部拡大図とともに示す側面図であり、以下、これらの図に基づいて本発明の具体的な構成例を説明する。
【００２１】
図示例によれば、携帯用器具１１は、クリップ片２２を備えた検電器１２として形成されている。このうち、検電器１２は、断面略矩形を呈する適宜長さのケーシング１３内に所要の検電回路を備えるプリント基板を含む適宜の必要部材（図示せず）を収納して形成されている。また、検電器１２の軸方向での一端側である先端１４側には、作動部１５として図示しない検知子を内蔵させた検電部１６を備えている。
【００２２】
また、検電器１２は、ケーシング１３の他端である後端１７側にクリップ片２２を備えている。該クリップ片２２は、その開放端２３側を検電器１２の検電部１６方向に向けた狭幅板状を呈して形成されており、その基端２４側に配置された前後一対の連結片２５，２６を介してケーシング１３の面方向と略平行で、かつ、ある程度の弾性変形が自在となって配置されている。
【００２３】
この場合、ケーシング１３の面方向とクリップ片２２の内側面２２ａとの間の間隔は、シート状の被挟着物３２の厚さとの関係で定まる適宜長さを備える連結片２５，２６により確保される。これを図３に示す例に基づいて具体的に説明すれば、ケーシング１３の面方向とクリップ片２２の内側面２２ａとの間で挟着保持力を生成すべく確保されるべき間隔は、胸ポケット３５を形成するために着衣３４側に縫着されている布片３３が被挟着物３２であることから、該布片３３に用いられている生地の厚さとの関係で定まることになる。
【００２４】
しかも、クリップ片２２は、開放端２３の近傍位置に穿設された透孔２７と、被挟着物３２の挿入方向との関係で透孔２７の奥側に位置する近傍の内側面２２ａからドーム状に突出させた突出部２８とを備えている。この場合、該突出部２８は、後述する小突起１８の座高よりも低い座高が付与されて形成されており、常態時におけるケーシング１３側との間に被挟着物３２の厚さよりも狭い隙間３０が確保できるようになっている。
【００２５】
これに対し、検電器１２は、クリップ片２２の透孔２７と対面する位置関係にあるケーシング１３上に、常態時において透孔２７内にその頂端部１８ａが図２に示すように遊嵌される座高を付与して形成された略円錐形を呈する小突起１８を備えている。この場合、小突起１８における頂端部１９は、その頂面１９ａが断面円曲形状を呈して形成されており、小突起１８の裾側の曲面１８ａと一体になって被挟着物３２を突出部２８側へと円滑に送り込むことができるようになっている。
【００２６】
次に、上記構成からなる本発明の作用・効果を、図３を参酌しながら説明する。検電作業者は、自らの着衣３４にあって胸ポケット３５を形成している布片３３を被挟着物３２とし、検電器１２におけるクリップ片２２の開放縁２３が被挟着物３２である布片３３の開口縁部３３ａ側と図３に示すように向き合う位置関係のもとで胸ポケット３５内に送り入れる。
【００２７】
クリップ片２２は、検電器１２が胸ポケット３５内に送り入れられるにつれて、その開放端２３が布片３３の開口縁部３３ａへと接近し、さらにケーシング１３の小突起１８の裾側へと到達する。
【００２８】
検電器１２をさらに胸ポケット３５内に送り入れると、布片３３の開口縁部３３ａは、ケーシング１３の小突起１８の裾側の曲面１８ａと当接して該曲面１８ａに乗り上げるようにしてクリップ片２２の透孔２７ａへと到達する。
【００２９】
しかも、ケーシング１３の小突起１８は、常態時にその頂端部１９がクリップ片２２の透孔２７ａ内に遊嵌状態のもとで位置しているので、検電器１２をさらに胸ポケット３５内に送り入れることで、布片３３の開口縁部３３ａもクリップ片２２をその厚さ分だけ押し上げることになる。
【００３０】
検電器１２をさらに胸ポケット３５内に送り入れると、布片３３の開口縁部３３ａは、ケーシング１３の小突起１８の頂端部１９の頂面１９ａが断面円曲形状を呈して形成されていることから、該頂端部１９を円滑に乗り越えてさらに奥に位置するクリップ片２２の突出部２８側へと到達する。
【００３１】
検電器１２をさらに胸ポケット３５内に送り入れると、布片３３の開口縁部３３ａは、常態時の隙間３０を押し上げながらクリップ片２２の突出部２８を円滑に通過し、さらに奥の所定位置へ到達した状態のもとで確実に挟着保持されて準備終了となる。
【００３２】
すなわち、被挟着物３２である布片３３は、元の位置に戻ろうとするクリップ片２２の付勢力により、ケーシング１３とクリップ片２２の突出部２８との間に挟着される挟着部位と、クリップ片２２の透孔２７内でケーシング１３の小突起１８における頂端部１９により挟着される挟着部位との２箇所において確実に挟着保持されることになる。
【００３３】
したがって、本発明によれば、被挟着物３２の厚さが薄い場合であっても小突起１８における頂端部１９と透孔２７との間に被挟着物３２を簡単、かつ、確実に挟持させることができることになる。
【００３４】
また、クリップ片２２は、透孔２７の奥側に携帯用器具１１である検電器１２が備える小突起１８よりも低座高の突出部２８を備えているので、該突出部２８により再度、被挟着物３２を挟持させることで、より安定した抜け落ち防止性能を発揮させることができる。
【００３５】
なお、検電器１２を使用する際には、単に該検電器１２をポケット内から引き抜くことで、挟着保持常態を簡単に解消することができる。
【００３６】
以上は、本発明を検電器に適用した場合につき説明したものであり、その具体的な内容はこれに限定されるものではない。本発明が適用される携帯用器具は、適宜の機能が付与されて携行されるものでさえあればよく、例えば、軸方向での一端側に備える作動部との関係で定まる機能の発揮を自在に形成されたボールペンやシャープペンシルなどの筆記具のほか、ペンシルタイプのテスターなどが含まれる。また、携帯用器具が備えるクリップ片は、必要により突出部２８を備えないものであってもよい。さらに、被挟着物は、ある程度の柔らかさと厚さとを有するシート状のものでさえあれば、その種類を問わない。
【図面の簡単な説明】
【００３７】
【図１】軸方向での一端側に備える作動部との関係で定まる機能の発揮を自在に形成された携帯用器具を検電器に適用した場合における本発明の一例を示す全体斜視図。
【図２】一部を切り欠いた状態の検電器をその要部拡大図とともに示す側面図。
【図３】本発明の携帯用器具（検電器）をクリップ片を介して被挟着物に挟着保持させる際の状態を一部を切り欠いて示す説明図。
【図４】クリップ片を携帯用器具のひとつである検電器に付設した従来例をその要部拡大図とともに示す側面図。
【符号の説明】
【００３８】
１１  携帯用器具
１２  検電器
１３  ケーシング
１４  先端
１５  作動部
１６  検電部
１７  後端
１８  小突起
１８ａ  曲面
１９  頂端部
１９ａ  頂面
２２  クリップ片
２２    内側面
２３  開放端
２４  基端部
２５，２６  連結片
２７ａ  透孔
２８  突出部
３０  隙間
３２  被挟着物
３３  布片
３３ａ  開口縁部
３４  着衣
３５  胸ポケット
【図１】
2008254289.tif 000003
【図２】
2008254289.tif 000004
【図３】
2008254289.tif 000005
【図４】
2008254289.tif 000006